(57)【要約】 【課題】  電子装置自体の盗難を簡単に防止することができる電子装置を提供する。【解決手段】  デタッチパネル部３を、電子装置本体２への装着状態で当該電子装置１を操作可能に構成し、電子装置本体２から離脱状態で当該電子装置１を操作不能に構成するので、車両において、デタッチパネル部３を離脱状態にしておきユーザ等にしかわからない所定場所に隠しておくことで、この電子装置本体２つまり電子装置１自体の盗難を防止する。【選択図】      図１
2007091033.tif 000002
【特許請求の範囲】
【請求項１】
電子装置本体と、
前記電子装置本体に着脱可能に設けられる操作部であって、電子装置本体に装着した装着状態で当該電子装置を操作可能でかつ、電子装置本体から離脱した離脱状態で当該電子装置を操作不能な操作部とを有することを特徴とする電子装置。
【請求項２】
操作部は、該操作部の装着状態を維持するためのロック機構を含むことを特徴とする請求項１に記載の電子装置。
【請求項３】
操作部は、ロック機構を解除することで、該操作部を装着状態から離脱状態に押圧する押圧手段をさらに含むことを特徴とする請求項２に記載の電子装置。
【発明の詳細な説明】
【技術分野】
【０００１】
本発明は、電子装置に関し、たとえばオーディオビィジアルナビゲーション装置などの車載機器に好適に適用される技術に関する。
【背景技術】
【０００２】
車両に搭載されるナビゲーション装置などの車載機器が実用に供されている（たとえば特許文献１参照）。ところで２ＤＩＮ規格（取り付けスペースサイズが２段タイプのモデル）の車載機器に対し、汎用性の高さ、スペース上の制約などの観点から、１ＤＩＮ規格（取り付けスペースサイズが１段タイプのモデル）の車載機器が望まれる場合がある。
【０００３】
【特許文献１】特開２００２−３１８１２９号公報
【発明の開示】
【発明が解決しようとする課題】
【０００４】
従来の車載機器は、車両のドアを施錠した状態であっても、車両から不所望に盗難されるおそれがある。これを防止するため、ユーザが車両から離れるとき、（１）車載機器全体を覆い隠す、（２）車載機器も車両から取り外す、などの対策が講じられている。
【０００５】
しかし、前記（１）の対策では、車両に対する車載機器の汎用性が低くなるうえ、車載機器の製作コストが高くつく。前記（２）の対策では、ユーザが車両から離れる度に、たとえば複数のボルトを取り外さなければならないし、複数のコネクタを車両から取り外さなければならない。
【０００６】
本発明の目的は、電子装置自体の盗難を簡単に防止することができる電子装置を提供することである。
【課題を解決するための手段】
【０００７】
本発明は、電子装置本体と、
前記電子装置本体に着脱可能に設けられる操作部であって、電子装置本体に装着した装着状態で当該電子装置を操作可能でかつ、電子装置本体から離脱した離脱状態で当該電子装置を操作不能な操作部とを有することを特徴とする電子装置である。
【０００８】
また本発明は、操作部は、該操作部の装着状態を維持するためのロック機構を含むことを特徴とする。
【０００９】
また本発明は、操作部は、ロック機構を解除することで、該操作部を装着状態から離脱状態に押圧する押圧手段をさらに含むことを特徴とする。
【発明の効果】
【００１０】
本発明によれば、操作部は、電子装置本体への装着状態で当該電子装置を操作可能に構成されるうえ、電子装置本体から離脱状態で当該電子装置を操作不能に構成されるので、次のような効果を奏する。車両などにおいて、操作部を離脱状態にしておき所定場所に隠しておくことで、この電子装置本体つまり電子装置自体の盗難を防止することができる。
【００１１】
また本発明によれば、操作部のロック機構によって、該操作部の装着状態を維持することができる。操作部が不所望に離脱することを防止することができる。
【００１２】
また本発明によれば、ロック機構を解除することで、操作部の押圧手段によって該操作部を装着状態から離脱状態に押圧するので、操作部を離脱させるための作業性が簡単化する。
【発明を実施するための最良の形態】
【００１３】
図１は、本発明の実施形態に係る電子装置１の斜視図である。図２は、電子装置１のデタッチパネル部３を離脱した態様を表す斜視図である。図３は、電子装置１の正面図である。図４は、電子装置１のデタッチパネル部を離脱した態様を表す正面図である。図５は、電子装置１の底面図である。図６は、ディスプレイを開いた態様を表す斜視図である。本実施形態に係る電子装置１は、１ＤＩＮ規格のオーディオ・ビィジアル・ナビゲーション装置に適用される。前記電子装置１は、主に、電子装置本体２と、操作部としてのデタッチパネル部３と、ディスプレイパネル部４とを有する。ここで電子装置本体２の奥行き方向をｙ方向と定義し、高さ方向をｚ方向と定義し、ｙおよびｚ方向に直交する方向をｘ方向と定義する。図において、これらｘ、ｙ、ｚ方向をそれぞれ矢符ｘ、ｙ、ｚで表記する。本実施形態に係る１ＤＩＮ規格の電子装置１のｘ、ｙ、ｚ方向寸法は、約１７０ｍｍ×１９０ｍｍ×４７ｍｍに規定されている。電子装置本体２は、本体部５と、ベースパネル部６とを備えている。
【００１４】
本体部５について説明する。図７は、電子装置１の本体部５の要部を分解して表す斜視図である。図８は、電子装置１の本体部５に設けられる基板等を分解して表す斜視図である。図１〜図６、図９も参照しつつ説明する。本体部５は、図７に示すように、メインシャーシ７と、後シャーシ８と、放熱板であるヒートシンク９と、第１，第２ファン１０，１１と、ＤＣ／ＤＣコンバータ１２と、そのホルダ１３，１４（Ｄ／Ｄコンホルダと称す）と、ハードディスクドライブ１５（略称ＨＤＤ）と、そのホルダ１６（ＨＤＤホルダ１６と称す）とを有する。また本体部５は、図８に示すように、ナビゲーション基板１７（ナビ基板１７と称す）と、プリアウト基板１８と、エムシーエム基板（ＭＣＭ基板）２１と、ＤＣ／ＤＣコンバータ基板２０と、その他各種シールド板とを有する。
【００１５】
メインシャーシ７のｘ方向一側縁部には、ｙｚ平面に沿ってヒートシンク９が立設され、メインシャーシ７のｙ方向一側縁部には、ｘｚ平面に沿って後シャーシ８が立設されている。この後シャーシ８のｘ方向一端部に、主にＭＣＭ基板２１およびＤＣ／ＤＣコンバータ基板２０を冷却排気するための第１ファン１０が装備され、後シャーシ８のｘ方向他端部に、主にナビ基板１７を冷却排気するための第２ファン１１が装備されている。第１および第２ファン１０，１１をダブルファンという場合がある。本実施の形態では、前記ダブルファンを、発熱量の多いＨＤＤ１５、ＣＰＵ（ＣＰＵ：Central Processing Unit）、電力増幅器に対向する位置に配設することで、放熱効果を高めることが可能となる。また図示外のデジタル回路部でデジタルノイズの発生源であるＣＰＵと、後述するチューナーとを離隔して配設することで、ノイズの影響を極力受けないようにすることができる。
【００１６】
メインシャーシ７のうちｘ方向一端部つまりヒートシンク９付近部には、ＤＣ／ＤＣコンバータ１２がＤ／Ｄコンホルダ１３，１４を介して保持されている。図５および図７に示すように、メインシャーシ７には、ＨＤＤ１５を格納するための孔部７ａが形成されている。たとえば仕向地毎に異なる情報が記録されたＨＤＤ１５およびＨＤＤホルダ１６を、前記孔部７ａを通して当該電子装置１の底面部に格納可能に構成されている。またＨＤＤクラッシュ、寿命前の交換および大容量タイプへの換装などの少なくともいずれか一つを目的として、ＨＤＤ１５およびＨＤＤホルダ１６を、前記孔部７ａを通して換装可能になっている。
【００１７】
メインシャーシ７のｘ方向一端部側には、ＭＣＭ基板２１が装備されている。ＭＣＭ基板２１は、ＤＳＰ（ＤＳＰ：Digital Signal Processor）基板と、たとえば音楽データをＨＤＤ１５に自動収録するためのミュージックジュークとが一体的に設けられる基板である。このＭＣＭ基板２１により、従来のＤＳＰ基板とミュージックジュークとが別体に設けられるものよりも、電子装置１の小形化を図り、部品点数の低減、タクトタイムの低減を図ることができる。メインシャーシ７のｘ方向他端部の大部分およびｘ方向一端部の一部分には、ナビ基板１７が装備されている。
【００１８】
プリアウト基板１８は、サブ基板１８とも称され、たとえばチューナーが付加されたものなど仕向地に応じた仕様に構成されている。このサブ基板１８は後シャーシ８のｚ方向一側縁部に沿って設けられ、これらサブ基板１８、後シャーシ８、メインシャーシ７およびヒートシンク９などによって、やや密閉された空間が形成される。しかもディスプレイパネル部４が開いた状態では、ＭＣＭ基板２１およびナビ基板１７のｚ方向一方側空間が開放された状態となる。これによって、ＭＣＭ基板２１およびＤＣ／ＤＣコンバータ基板２０側から第１ファン１０への空気の流れを効率良くすることができる。これとともにナビ基板１７側から第２ファン１１への空気の流れを効率良くすることができる。逆に言えば、ＭＣＭ基板２１およびＤＣ／ＤＣコンバータ基板２０の配設位置とナビ基板１７の配設位置とを、ｘ方向一方側と他方側とに振り分けてそれぞれのファン１０，１１で冷却排気するようにしたので、発熱部品を効率良く冷却することが可能となる。
【００１９】
ベースパネル部６について説明する。図９は、ベースパネル部６と、デタッチパネル部３との関係を表す斜視図である。図１０は、ベースパネル部６を分解して表す斜視図である。図１１は、ベースパネル部６を示し、図１１（ａ）はベースパネル部６の平面図、図１１（ｂ）はベースパネル部６の正面図、図１１（ｃ）はベースパネル部６の背面図である。図１２は、図１１（ｂ）のＸ−Ｘ断面図である。図１３は、図１１（ｂ）のＺ−Ｚ断面図である。図１４は、図１２の詳細Ａ部を拡大して表す断面図である。図１５は、図１３の詳細Ｂ部を拡大して表す断面図である。図１６は、板ばね２２の固着状態を拡大して表す断面図である。
【００２０】
ベースパネル部６は、デタッチパネル部３を着脱可能にするためのものであり、メインシャーシ７のｙ方向一側縁部にｘｚ平面に沿って設けられる。ベースパネル部６は、パネル本体２３と、第１ロック機構２４と、第２ロック機構２５と、押圧手段としての板ばね２２とを有する。パネル本体２３は、正面壁部２３ａ、一側壁部２３ｂ、他側壁部２３ｃおよび底壁部２３ｄを含み、これらは合成樹脂などによって一体成形されている。正面壁部２３ａはｘｚ平面に沿って形成され、一側および他側壁部２３ｂ，２３ｃはｘｙ平面に沿って形成される。一側壁部２３ｂは正面壁部２３ａの長手方向一端部に付設され、他側壁部２３ｃは正面壁部２３ａの長手方向他端部に付設されている。正面壁部２３ａには、記録手段であるメモリースティックのスロット２６が形成されている。一側および他側壁部２３ｂ，２３ｃは同一構成であるので、一側壁部２３ｂについてだけ説明し、他側壁部２３ｃについては一側壁部２３ｂに付した符号と同一の符号を付してその説明を省略する。
【００２１】
一側壁部２３ｂの基端部には、さぐり部２７およびねじ孔２８が形成されている。この基端部には「コ」字形状のスリット２９が形成されている。したがって、ねじ孔２８が形成される基端部は、スリット２９が形成される分、ｘ方向内方向きに弾性変形容易になっている。一側壁部２３ｂの先端部には、爪部３０が形成されている。この爪部３０はｙ方向一方に所定小距離突出するように形成されている。底壁部２３ｄのｙ方向一側縁部にも、ｙ方向一方に所定小距離突出する爪部３１が形成されている。これら複数の爪部３０，３１を、対応するメインシャーシ７の一部に係合し、前記ねじ孔２８から図示外のビスを挿入してメインシャーシ７に形成された図示外のねじ部に螺着するようになっている。また底壁部２３ｄには、放熱用のｙ方向向きスリット３２がｘ方向一定間隔おきに形成されている。
【００２２】
第１ロック機構２４は、正面壁部２３ａの長手方向一端部、一側壁部２３ｂおよび底壁部２３ｄにわたって設けられている。第１ロック機構２４は、固定ホルダ３３と、可動ホルダ３４と、引張りコイルばね３５と、後述するデタッチパネル部３の押圧機構３６とを含む。固定ホルダ３３は、突起部３３ａ、第１および第２係止部３３ｂ，３３ｃを備え、突起部３３ａが正面壁部２３ａに固着され、第１係止部３３ｂが一側壁部２３ｂに固着され、第２係止部３３ｃが底壁部２３ｄに固着されている。可動ホルダ３４は、この固定ホルダ３３に摺動可能に支持されている。つまり可動ホルダ３４は、可動ホルダ本体３７、第１係合部３８および第２係合部３９を備えている。可動ホルダ本体３７にフック片３７ａが付設され、このフック片３７ａと、第２係止部３３ｃに付設されるフック部４０とにわたって前記引張りコイルばね３５が設けられている。この引張りコイルばね３５の付勢力によって固定ホルダ３３に対して可動ホルダ３４が底壁部２３ｄ側に弾性付勢されるようになっている。第１および第２係合部３８，３９の先端部は、それぞれｚ方向一方に向かうに従ってｙ方向一方に傾斜するテーパ形状を成している。このようなテーパ形状を成す先端部が、デタッチパネル部３の押圧機構３６の一部に押圧されると、引張りコイルばね３５の付勢力に抗して可動ホルダ３４をｚ方向に移動させる。これによって第１ロック機構２４をロック解除し得る。
【００２３】
第２ロック機構２５は、正面壁部２３ａの長手方向他端部に設けられている。第２ロック機構２５は、ロックピン収容部材４１、一対のロックピン４２，４３、圧縮コイルばね４４および後述するデタッチパネル部３の係合部材４５（図２０参照）を含む。正面壁部２３ａの長手方向他端部には、ｚ方向にやや延びる凹所４６が形成され、この凹所４６に略円筒形状のロックピン収容部材４１が固着されている。ただしロックピン収容部材４１の一部は、正面壁部２３ａの表面部よりもｙ方向に突出するように形成されている。ロックピン収容部材４１のｚ方向一端部、他端部には、ロックピン４２，４３の係合ピン４２ａ，４３ａを突出するための孔部４１ａ，４１ｂがそれぞれ形成されている。つまりロックピン収容部材４１内には、一対のロックピン４２，４３がｚ方向一方および他方に離隔して設けられている。
【００２４】
各ロックピン４２（４３）は、ｚ方向に沿って順次、前記係合ピン４２ａ（４３ａ）、フランジ部４２ｂ（４３ｂ）およびばね受け軸部４２ｃ（４３ｃ）を含む。一対のロックピン４２，４３のばね受け軸部４２ｃ，４３ｃが間隔を隔てて対向して同軸に設けられ、これらばね受け軸部４２ｃ，４３ｃに圧縮コイルばね４４が外装されている。圧縮コイルばね４４は、その付勢力によって両フランジ部４２ｂ，４３ｂに当接するように設けられる。つまり圧縮コイルばね４４の付勢力によって一対のロックピン４２，４３の係合ピン４２ａ，４３ａが、ロックピン収容部材４１の孔部４１ａ，４１ｂから突出するように構成されている。前記デタッチパネル部３の係合部材４５は、これら係合ピン４２ａ，４３ａに係合可能に構成される。しかも係合部材４５は、圧縮コイルばね４４の付勢力に抗して係合ピン４２ａ，４３ａから離脱可能に構成されている。以上説明した第１および第２ロック機構２４，２５によって、デタッチパネル部３は、電子装置本体２への装着状態を維持し得る。
【００２５】
押圧手段としての板ばね２２は、第１ロック機構２４をロック解除することで、デタッチパネル部３を前記装着状態から離脱状態に押圧する機能を有する。正面壁部２３ａのｘ方向中間部には、板ばね２２の一部を突出するための孔部４７が形成されている。板ばね２２は、支持部４８、屈曲部４９、押圧部５０および係止部５１を含み、これらはたとえばりん酸銅によって形成されている。ただしりん酸銅だけに限定されるものではなく、ステンレス鋼板などによって板ばね２２を形成することも可能である。正面壁部２３ａの裏面部に、前記支持部４８が溶着され、屈曲部４９を経て押圧部５０が孔部４７から突出する。押圧部５０が最大限突出した状態で、係止部５１が正面壁部２３ａの被係止部５２に係止するようになっている。
【００２６】
したがって第１ロック機構２４をロック解除することで、板ばね２２の押圧部５０がそのばね力によって孔部４７から突出することで、デタッチパネル部３を装着状態から離脱状態に押圧する。第１および第２ロック機構２４，２５をロックした状態では、板ばね２２のばね力によって、デタッチパネル部３とベースパネル部６とのがたつきを抑えるようになっている。デタッチパネル部３を離脱状態にすることで、前記メモリースティックのスロット２６が現れ、メモリースティックの取り付け取り外しを実施し得る。換言すれば、メモリースティックを普段使用しないので、デタッチパネル部３を離脱状態にしたときだけ、メモリースティックの取り付け取り外しを実施できるようになっている。
【００２７】
図１７は、デタッチパネル部３の要部を分解して表す斜視図である。図１８は、デタッチパネル部３の前面部５３を示し、図１８（ａ）は前面部５３の背面図、図１８（ｂ）は前面部５３の平面図、図１８（ｃ）は前面部５３の正面図である。図１９は、デタッチパネル部３の裏面部５４を表す斜視図である。図２０は、デタッチパネル部３の裏面部を示し、図２０（ａ）は裏面部の正面図、図２０（ｂ）は裏面部の平面図、図２０（ｃ）は裏面部の背面図である。
【００２８】
デタッチパネル部３について説明する。デタッチパネル部３は、デタッチ前部アッシー５３（前面部５３）、デタッチ後部アッシー５４（裏面部５４）、パネル基板５５、導光板ケース５６、スペーサ５７、ＬＣＤ（ＬＣＤ：Liquid Crystal Display）導光板５８、ＬＣＤ拡散板５９、ＬＣＤを含むディスプレイユニット６０、ＬＣＤホルダ６１、ボタン類６２、ノブ６３、押圧機構３６および係合部材４５を有する。デタッチ前部アッシー５３とデタッチ後部アッシー５４とが複数のビスによって固着され（これをアッシー等と称す）、その他の部品がアッシー等に保持される。
【００２９】
前記押圧機構３６は、第１ロック機構２４をロック解除する機構であって、リリースボタン６４と圧縮コイルばね６５とを備えている。リリースボタン６４はｙ方向に所定小距離伸びる軸部材であり、基端部６４ａ、フランジ部６４ｂおよび先端部６４ｃを含む。基端部６４ａは、手指などで操作可能にデタッチ前部アッシー５３よりもややｙ方向に突出するように配設されている。フランジ部６４ｂから先端部６４ｃにわたって圧縮コイルばね６５が外装され、その付勢力で基端部６４ａを前記ｙ方向に弾性付勢する。先端部６４ｃには、ｚ方向一方に向かうに従ってｙ方向一方に傾斜するテーパ部分を備えている。ユーザが、圧縮コイルばね６５の付勢力に抗して基端部６４ａを押圧すると、前記テーパ部分が、第１ロック機構２４の同じくテーパ形状を成す先端部６４ｃに当接した状態で、可動ホルダをｚ方向に移動させる。よって第１ロック機構２４を解除し得るようになっている。
【００３０】
デタッチ後部アッシー５４には、係合部材４５、パネル基板５５の接続端子５５ａを露出するための開口部５４ａ、メモリースティック（略称ＭＳ）との干渉を防止するためのＭＳ凹所５４ｂなどが形成されている。デタッチ後部アッシー５４の長手方向一端部には、ｚ方向一方および他方に離隔して係合部材４５が付設されるうえ、これら係合部材４５間に、ロックピン収容部材４１の外周面部を部分的に保持する凹所５４ｃが形成されている。各係合部材４５は、ｙ方向にやや突出して形成されるとともに、係合ピン４２ａ，４３ａを係合可能な被係合部４５ａが形成されている。
【００３１】
ディスプレイパネル部４について説明する。図２１も参照しつつ説明する。ディスプレイパネル部４は、パネルシャーシ６６、チルトメカ機構６７、スライド機構６８、ギヤ機構６９，７０、駆動源７１，７２、ＴＦＴ（Thin Film Transistor)、ＴＦＴホルダおよびディスプレイ基板を有する。チルトメカ機構６７と、スライド機構６８と、ギヤ機構６９，７０と、駆動源７１，７２とでモニタ駆動部７３が構成される。前記パネルシャーシ６６はｚ方向に見て矩形状に形成され、このパネルシャーシ６６に、これら構成部品が支持されている。パネルシャーシ６６には、チルトメカ機構６７を駆動するためのチルト用のギヤ機構６９およびチルト用の駆動源７１、スライド機構６８を駆動するためのスライド用のギヤ機構７０およびスライド用の駆動源７２が設けられている。チルト用のギヤ機構６９およびチルト用の駆動源７１によって、ＴＦＴ、ＴＦＴホルダおよびディスプレイ基板（これらをＴＦＴ等７４と称す）が、ｘ方向軸線まわりに揺動駆動可能に構成される。スライド用のギヤ機構７０およびスライド用の駆動源７２によって、ＴＦＴ等７４がパネルシャーシ６６に対しｙ方向に沿って移動駆動可能に構成される。
【００３２】
以上説明したディスプレイパネル部４は、電子装置本体２のｚ方向一方側つまり上側に設けられる。電子装置本体２のうちメインシャーシ７のｙ方向一側縁部には、ベースパネル部６を介してデタッチパネル部３が設けられる。したがって、操作部であるデタッチパネル部３は、ディスプレイパネル部４よりもｚ方向他方側つまり下側に配置される。ＴＦＴ等７４は上方に開くので、たとえば上側にデタッチパネル部３および電子装置本体２、その下側にディスプレイパネル部４が配置される態様では、ＴＦＴ等７４の開時にデタッチパネル部３を操作不可となる。それ故、デタッチパネル部３はディスプレイパネル部４よりも下側に配置される。
【００３３】
ところで１ＤＩＮ規格では、ｚ方向つまり高さ方向の制約が厳しく、それに比べてｙ方向つまり奥行き方向は比較的余裕がある。またディスプレイパネル部４のＴＦＴ等７４はｘ方向寸法がｙ方向寸法に比べて長い。これを考慮して、ＴＦＴ等７４を開いた状態でその下部に操作ボタン（デタッチパネル部３のボタン類６２であって、ＴＦＴ等７４を開いた状態で必要となる操作の操作ボタン）を配置した構造になっている。換言すれば、図６に示すように、デタッチパネル部３の操作ボタンと、ディスプレイパネル部４の操作ボタン７５とを、機能別に分散させて振り分けたので、必要な操作を素早く確定することができる。したがって操作性の向上を図ることが可能となる。ＴＦＴ等７４を収納した状態において、ディスプレイパネル部４と、電子装置本体２およびデタッチパネル部３とのｚ方向寸法（いわゆる厚み）の比率は、約７：１１に定められている。以上説明したように、ディスプレイパネル部４と電子装置本体２とは、二分割筐体に構成されている。またＴＦＴ等７４を収納した状態において、モニタ頂部のＨＤＤ表示部７６（図１参照）は発光するように制御されている。
【００３４】
本実施形態に係る電子装置１の電気的構成について説明する。図２１は、電子装置１の電気的構成を示すブロック図である。電子装置１は、前記ＣＰＵとＲＯＭ（Read Only Memory)とＲＡＭ（Random Access Memory）とバスと入出力インタフェースとを備えるマイクロコンピュータ７７（マイコン７７と称す）、車速センサ７８、ジャイロセンサ７９、ＧＰＳ（Global Positioning System）受信機８０、ＣＤ（Compact Disk）ドライブ８１、ＨＤＤ８２、通信手段８３、オーディオ信号処理部８４、スピーカ８５、描画処理部８６、操作部としてのデタッチパネル部８７、モニタ駆動部７３およびＴＦＴ等７４を含んで構成される。前記入出力インタフェースには、車速センサ７８、ジャイロセンサ７９、ＧＰＳ受信機８０、ＣＤドライブ８１、ＨＤＤ８２、通信手段８３、オーディオ信号処理部８４、描画処理部８６、ＴＦＴ等７４、デタッチパネル部８７、モニタ駆動部７３がそれぞれ電気的に接続されている。
【００３５】
図２２は、ＣＤ録音処理を実行するためのフローチャートである。本ＣＤ録音処理を実行するためのプログラムは、たとえばマイコン７７のＲＯＭに格納され、前記ＣＰＵによって制御される。本フローチャートにおいて、特に記載しない限り制御主体はＣＰＵである。なおＣＤ録音つまりＣＤからＨＤＤへの録音）はＴＦＴ等７４の開閉に関係なく実行される。電子装置１の電源が投入されている状態でＣＤを挿入すると、本処理を開始する。先ずステップａ１に移行して、ＣＤドライブ８１等を駆動してＣＤに記録された情報を再生する。
【００３６】
次にステップａ２に移行して、前記情報が録音済みか否かを判断する。具体的には、演奏時間や頭出し情報であるＴＯＣ（Table Of Contents）データに基づくディスク判別、曲データなどによって、前記情報が録音済みか否かを判断する。録音済みとの判断で本処理を終了する。「否」との判断でステップａ３に移行して、ＴＦＴ等７４が開いているか否かを判断する。「否」との判断で、ステップａ４に移行して、ＣＤからＨＤＤへの録音を開始する。このとき、たとえば４倍速で録音する。ＨＤＤ読み込み済みデータを利用した同時再生も可能である。なお未録音分もＣＤプレーヤ側が再生分と録音分とを高速で、遅れなく読み込める場合は、原理的にＣＤより再生可能である。ステップａ４の後、本処理を終了する。ステップａ３でＴＦＴ等７４が「開」との判断で、ステップａ５に移行する。ここで録音方法の指示操作が行われたか否かを判断する。「否」との判断でステップａ４に移行する。前記指示操作が行われたと判断されると、ステップａ６に移行して指示操作に応じた録音を開始する。その後本処理を終了する。
【００３７】
図２３は、録音停止処理を実行するフローチャートである。本録音停止処理を実行するためのプログラムは、たとえばマイコン７７のＲＯＭに格納され、前記ＣＰＵによって制御される。電子装置１の電源が投入されている状態でイジェクト操作（いわゆる排出操作）を行うと、本処理を終了する。先ずステップｂ１に移行して、録音中であるか否かを判断する。「否」との判断でステップｂ２に移行して排出操作を行い、その後本処理を終了する。ステップｂ１で録音中であると判断すると、ステップｂ３に移行して録音停止表示を行う。
【００３８】
次にステップｂ４に移行して、録音停止してもよいか否かを判断する。「否」との判断でステップｂ５に移行して録音停止表示を解除した後、本処理を終了する。ステップｂ４で録音停止してもよいと判断されると、ステップｂ６に移行して録音停止処理を行う。ここで、たとえば録音途中であっても、その録音済データは消去される。その後ステップｂ２に移行する。
【００３９】
以上説明した電子装置１によれば、デタッチパネル部３は、電子装置本体２への装着状態で当該電子装置１を操作可能に構成されるうえ、電子装置本体２から離脱状態で当該電子装置１を操作不能に構成されるので、次のような効果を奏する。車両において、デタッチパネル部３を離脱状態にしておきユーザ等にしかわからない所定場所に隠しておくことで、この電子装置本体２つまり電子装置１自体の盗難を防止することができる。
【００４０】
デタッチパネル部３の第１および第２ロック機構２４，２５によって、デタッチパネル部３の装着状態を維持することができる。また第１ロック機構２４の基端部６４ａを手指などで押圧操作することで、デタッチパネル部３を簡単に離脱状態にすることが可能となる。それ故、複数のボルトを取り外したり、複数のコネクタを車両から取り外す従来技術に比べて、操作性を簡単化することができる。第１ロック機構２４を解除することで、デタッチパネル部３の板ばね２２によって、該デタッチパネル部３を装着状態から離脱状態に押圧する。これによって、デタッチパネル部３は、ロックピン収容部材４１を回動中心として電子装置本体２から離隔する方向に回動する。これによってデタッチパネル部３のｘｙ平面部分（いわゆる上下部分）がディスプレイパネル部４から露出するので、手指で掴む面積が拡大する。したがってデタッチパネル部３を離脱させるための作業性が簡単化する。第１および第２ロック機構２４，２５をロックした状態では、板ばね２２のばね力によって、デタッチパネル部３とベースパネル部６とのがたつきを抑えるので、車両の振動に起因するデタッチパネル部３の振動を抑え、ディスプレイパネル部４との干渉を未然に防止することができる。
【００４１】
デタッチパネル部３はディスプレイパネル部４よりもｚ方向他方側つまり下側に設けたので、ＴＦＴ等７４が上方に開いた状態でＴＦＴ等７４に視認性を奪われることなく、デタッチパネル部３を操作可能となる。このときディスプレイパネル部４の操作ボタン７５を操作することももちろん可能である。ディスプレイパネル部４と電子装置本体２とは、二分割筐体に構成されているので、これらを別々に並行して製造したうえで、組み立てることができるので、タクトタイムの短縮を図ることができる。ＣＤ録音処理を実行するとき、ＣＤに記録された情報が録音済みであると判断されると、再度、録音することなくＣＤを再生するので、重複して録音されることを防止する。したがってＨＤＤの録音空き領域を確保することができる。
【００４２】
デタッチパネル部３の操作ボタンと、ディスプレイパネル４の操作ボタン７５とを、機能別に分散して振り分けて配置したので、デタッチパネル部３の構成およびディスプレイパネル４の構成を簡単化することができる。その他、本発明の趣旨を逸脱しない範囲において種々の変更を付加した形態で実施することも可能である。
【００４３】
図２４は、電子装置１を車両８８に搭載した状態を示す図で、図２４（ａ）はディスプレイパネル部４が格納された状態、図２４（ｂ）はディスプレイパネル部４が開いた状態を示す。車両８８のインストルメントパネルには、通常車載オーディオ機器等の装着用のスペースが設けられており、そのスペースにはユーザが好む電子装置や小物入れ、カップホルダー等が設置される。そして、そのサイズは各種装置の取付性を向上させるため規格化されている。広く用いられる規格として、ＤＩＮ規格があり、縦と横サイズが規定されている。
【００４４】
車両８８のインストルメントパネルに設けられるスペースは通常、２ＤＩＮサイズ、または１ＤＩＮサイズで、ユーザの好みに応じてそのスペースに応じて機器が設置される。たとえば、２ＤＩＮサイズのスペースの場合、２ＤＩＮサイズの電子機器が１台、１ＤＩＮサイズの電子機器が２台、１ＤＩＮサイズの電子機器が２台、１ＤＩＮサイズの電子機器と１ＤＩＮサイズの小物入れ等が設置される。
【００４５】
図２４に示した例は、２ＤＩＮサイズのスペースに対して、上部に本実施形態に係る１ＤＩＮサイズの電子装置機器１を、下部に１ＤＩＮサイズの小物入れ８９を設置したもので、ディスプレイパネル部４の開時には、該ディスプレイパネル部４がスペース上側に開き、２ＤＩＮサイズのスペースの下部に配置される機器（本例では小物入れであるが、無線機等の電子機器等の場合もある）の操作の邪魔にならないようになっている。
【００４６】
このように、電子機器を１ＤＩＮ化すると、スペースを有効利用でき、他機器を設置することも可能となり、また１ＤＩＮサイズのスペースしか無い場合にも、電子機器を設置できる利点がある。したがってユーザの利便性を向上することが可能となる。
【図面の簡単な説明】
【００４７】
【図１】本発明の実施形態に係る電子装置１の斜視図である。
【図２】電子装置１のデタッチパネル部３を離脱した態様を表す斜視図である。
【図３】電子装置１の正面図である。
【図４】電子装置１のデタッチパネル部３を離脱した態様を表す正面図である。
【図５】電子装置１の底面図である。
【図６】ディスプレイを開いた態様を表す斜視図である。
【図７】電子装置１の本体部５の要部を分解して表す斜視図である。
【図８】電子装置１の本体部５に設けられる基板等を分解して表す斜視図である。
【図９】ベースパネル部６と、デタッチパネル部３との関係を表す斜視図である。
【図１０】ベースパネル部６を分解して表す斜視図である。
【図１１】ベースパネル部６を示し、図１１（ａ）はベースパネル部６の平面図、図１１（ｂ）はベースパネル部６の正面図、図１１（ｃ）はベースパネル部６の背面図である。
【図１２】図１１（ｂ）のＸ−Ｘ断面図である。
【図１３】図１１（ｂ）のＺ−Ｚ断面図である。
【図１４】図１２の詳細Ａ部を拡大して表す断面図である。
【図１５】図１３の詳細Ｂ部を拡大して表す断面図である。
【図１６】板ばね２２の固着状態を拡大して表す断面図である。
【図１７】デタッチパネル部３の要部を分解して表す斜視図である。
【図１８】デタッチパネル部３の前面部５３を示し、図１８（ａ）は前面部５３の背面図、図１８（ｂ）は前面部５３の平面図、図１８（ｃ）は前面部５３の正面図である。
【図１９】デタッチパネル部３の裏面部を表す斜視図である。
【図２０】デタッチパネル部３の裏面部を示し、図２０（ａ）は裏面部の正面図、図２０（ｂ）は裏面部の平面図、図２０（ｃ）は裏面部の背面図である。
【００４８】
【図２１】電子装置１の電気的構成を示すブロック図である。
【図２２】ＣＤ録音処理を実行するためのフローチャートである。
【図２３】録音停止処理を実行するフローチャートである。
【図２４】電子装置１を車両に搭載した状態を示す図で、図２４（ａ）はディスプレイパネル部４が格納された状態、図２４（ｂ）はディスプレイパネル部４が開いた状態を示す図である。
【符号の説明】
【００４９】
１  電子装置
２  電子装置本体
３  デタッチパネル部
４  ディスプレイパネル部
５  本体部
６  ベースパネル部
２２  板ばね
２４  第１ロック機構
２５  第２ロック機構
【図１】
2007091033.tif 000003
【図２】
2007091033.tif 000004
【図３】
2007091033.tif 000005
【図４】
2007091033.tif 000006
【図５】
2007091033.tif 000007
【図６】
2007091033.tif 000008
【図７】
2007091033.tif 000009
【図８】
2007091033.tif 000010
【図９】
2007091033.tif 000011
【図１０】
2007091033.tif 000012
【図１１】
2007091033.tif 000013
【図１２】
2007091033.tif 000014
【図１３】
2007091033.tif 000015
【図１４】
2007091033.tif 000016
【図１５】
2007091033.tif 000017
【図１６】
2007091033.tif 000018
【図１７】
2007091033.tif 000019
【図１８】
2007091033.tif 000020
【図１９】
2007091033.tif 000021
【図２０】
2007091033.tif 000022
【図２１】
2007091033.tif 000023
【図２２】
2007091033.tif 000024
【図２３】
2007091033.tif 000025
【図２４】
2007091033.tif 000026